(57)【要約】  【課題】従来よりも精度良く記録シートの種類を判断し、これに基づいて記録シートの種類毎に最適な制御を行うことにより印字品質の低下やトラブルを抑制することができる画像形成装置を提供する。  【解決手段】一対の回転体を、両者間に定着ニップを形成する状態で近接配置し、定着ニップに未定着のトナー像が形成された記録シートを加圧及び所定の定着温度で加熱しながら通過させてトナー像を記録シートに定着させる画像形成装置であって、定着温度と定着後の記録シートの温度とを検出する検出部５１、検出された定着温度と定着後の記録シートの温度との差分を計算する計算部５２、計算された差分に基づいて記録シートの種類を特定する特定部５３、記録シートの種類が特定された後の画像の形成に関わる動作を、特定された記録シートの種類に適合した制御条件に従って制御する動作制御部５４とを備える。  【選択図】図３
2009192836.tif 000002
【特許請求の範囲】
【請求項１】
一対の回転体を、両者間に定着ニップを形成する状態で近接配置し、前記定着ニップに、未定着のトナー像が形成された記録シートを、加圧、及び所定の定着温度で加熱しながら通過させて、トナー像を記録シートに定着させる画像形成装置であって、
前記定着温度と、定着後の記録シートの温度とを検出する検出手段と、
検出手段により検出された定着温度と、定着後の記録シートの温度との差分を計算する計算手段と、
計算手段により計算された差分に基づいて、前記記録シートの種類を特定する特定手段と、
特定手段により前記記録シートの種類が特定された後の画像の形成に関わる動作を、当該特定された記録シートの種類に適合した制御条件に従って制御する制御手段と
を備えることを特徴とする画像形成装置。
【請求項２】
当該画像形成装置は、さらに、
前記特定手段により前記記録シートの種類が特定されるより前から、未定着のトナー像が形成され定着されるであろうと予定される記録シートの種類を予め記憶する設定記憶手段と、
前記特定手段により前記記録シートの種類が特定された後に、当該特定された記録シートの種類と、前記設定記憶手段に記憶されている記録シートの種類とが一致するか否かを判定し、一致しない場合には、前記設定記憶手段に記憶されている記録シートの種類を破棄し、当該設定記憶手段に、前記特定手段により特定された記録シートの種類を、次に未定着のトナー像が形成され定着されるであろうと予定される記録シートの種類として記憶させる更新手段とを備え、
前記制御手段は、さらに、
前記特定手段により前記記録シートの種類が特定されるより前の画像の形成に関わる動作を、前記設定記憶手段に記憶されている記録シートの種類に適合した制御条件に従って制御すること
を特徴とする請求項１に記載の画像形成装置。
【請求項３】
当該画像形成装置は、さらに、
前記特定手段により特定された記録シートの種類と、前記設定記憶手段に記憶されている記録シートの種類とが一致せずに、前記更新手段により、前記設定記憶手段に記憶された記録シートの種類が更新された場合に、前記検出手段により検出された定着後の記録シートの温度が許容温度範囲内であるか否かを判定して、許容温度範囲内でない場合に定着不良とみなす不良判定手段を備えること
を特徴とする請求項２に記載の画像形成装置。
【請求項４】
前記制御手段において、前記特定手段により特定された記録シートの種類に適合した制御条件に従って制御される、前記特定手段により前記記録シートの種類が特定された後の画像の形成に関わる動作とは、次の記録シートに対する定着以前の画像形成動作、及び、処理中の記録シートに対する定着後の後処理の動作のうちの少なくとも一方であり、
前記制御条件は、搬送速度、定着温調温度、及び、排出ファンの回転数のうちの少なくとも１つを含むこと
を特徴とする請求項１に記載の画像形成装置。
【請求項５】
前記検出手段は、さらに、環境温度を検出し、
前記特定手段は、
前記検出手段により検出された環境温度が、所定の範囲であるか否かを判断し、所定の範囲でない場合に、記録シートの種類を特定する際の基準を補正すること
を特徴とする請求項１に記載の画像形成装置。
【請求項６】
前記制御手段は、さらに、
環境温度に応じた定着温調温度を定めており、前記検出手段により環境温度を検出すると、その温度に適合した定着温調温度を読出し、これに基づいて、前記定着温度を制御すること
を特徴とする請求項５に記載の画像形成装置。
【請求項７】
前記制御条件は、環境温度に応じた定着温調温度を含み、
前記制御手段は、
前記特定手段により特定された記録シートの種類に適合した制御条件のうち、定着温調温度に関しては、前記検出手段により検出された環境温度に対応する定着温調温度を用いること
を特徴とする請求項５に記載の画像形成装置。
【請求項８】
前記検出手段は、
前記定着温度と、定着後の記録シートの温度とを検出する１つの非接触センサーを含み、検出領域を記録シートが通過するときに、定着後の記録シートの温度に相当する信号を出力し、検出領域に記録シートが存在しないときに、定着温度に相当する信号を出力すること
を特徴とする請求項１に記載の画像形成装置。
【請求項９】
前記特定手段は、
両面印刷の際には、１面目においてのみ記録シートの種類の特定をし、２面目においては、記録シートの種類の特定を行なうことなく動作させること
を特徴とする請求項１に記載の画像形成装置。
【請求項１０】
前記制御手段は、さらに、
両面印刷の際の２面目において、定着後の記録シートの温度に応じて、定着後の後処理である記録シートの冷却を制御すること
を特徴とする請求項９に記載の画像形成装置。
【請求項１１】
一対の回転体を、両者間に定着ニップを形成する状態で近接配置し、前記定着ニップに、未定着のトナー像が形成された記録シートを、加圧、及び所定の定着温度で加熱しながら通過させて、トナー像を記録シートに定着させる画像形成装置における画像形成方法であって、
前記定着温度と、定着後の記録シートの温度とを検出する検出ステップと、
検出ステップにより検出された定着温度と、定着後の記録シートの温度との差分を計算する計算ステップと、
計算ステップにより計算された差分に基づいて、前記記録シートの種類を特定する特定ステップと、
特定ステップにより前記記録シートの種類が特定された後の画像の形成に関わる動作を、当該特定された記録シートの種類に適合した制御条件に従って制御する制御ステップと
を含むことを特徴とする画像形成方法。
【発明の詳細な説明】
【技術分野】
【０００１】
本発明は、定着器を備える画像形成装置に関し、特に、普通紙、厚紙、薄紙、やＯＨＰシート等といった記録シートの種類の誤設定により生じる印字品質の低下やトラブルを抑制するための技術に関する。
【背景技術】
【０００２】
一般に、画像形成装置は、普通紙、厚紙、薄紙、やＯＨＰシート等といった複数種類の記録シートのいずれにも画像を形成することができるものがある。
【０００３】
このような画像形成装置においては、どの記録シートに対しても安定した画像形成を実現するために、いずれの種類の記録シートを用いるのかをユーザに予め設定させておき、記録シートの種類毎に最適な制御を行なっている。
【０００４】
しかしながら、記録シートの種類の設定が間違っていた場合には、最適な制御が行なわれないので、印字品質が低下したり、カールや定着不良等のトラブルが発生しやすくなるという問題がある。
【０００５】
そこで、上記のような問題を解決する従来の技術として、非接触型の赤外線温度センサを用いて検出した加熱ローラの表面温度の変化に基づいて、記録材（本願の「記録シート」に相当）の種類、特に厚さを判別して後処理を変化させ、記録材の表面温度を設定する画像形成装置が特許文献１に開示され、また、加熱定着処理された記録材の温度に基づいて、記録材の種類を判別して、記録材の種類に応じて加熱定着装置の定着温度を調整する画像形成装置が特許文献２に開示されている。
【特許文献１】特開2000-259045号公報
【特許文献２】特開2005-283903号公報
【発明の開示】
【発明が解決しようとする課題】
【０００６】
特許文献１のように加熱ローラの表面温度を検出するだけでは、特に薄紙のように加熱ローラの温度変化が少ない場合の感度が極端に悪く、また特許文献２のように記録材の温度を検出するだけでは、加熱ローラの温度変動や周囲の温度の影響をまともに受けるため、どちらの場合も精度良く正確に記録材の種類を判断することは難しい。
【０００７】
本発明は、従来よりも精度良く記録シートの種類を判断し、これに基づいて記録シートの種類毎に最適な制御を行うことにより、印字品質の低下やトラブルを抑制することができる画像形成装置、及び画像形成方法を提供することを目的とする。
【課題を解決するための手段】
【０００８】
上記目的を達成するために、本発明の一態様に係る画像形成装置は、一対の回転体を、両者間に定着ニップを形成する状態で近接配置し、前記定着ニップに、未定着のトナー像が形成された記録シートを、加圧、及び所定の定着温度で加熱しながら通過させて、トナー像を記録シートに定着させる画像形成装置であって、前記定着温度と、定着後の記録シートの温度とを検出する検出手段と、検出手段により検出された定着温度と、定着後の記録シートの温度との差分を計算する計算手段と、計算手段により計算された差分に基づいて、前記記録シートの種類を特定する特定手段と、特定手段により前記記録シートの種類が特定された後の画像の形成に関わる動作を、当該特定された記録シートの種類に適合した制御条件に従って制御する制御手段とを備えることを特徴とする。
【０００９】
上記目的を達成するために、本発明の一態様に係る画像形成方法は、一対の回転体を、両者間に定着ニップを形成する状態で近接配置し、前記定着ニップに、未定着のトナー像が形成された記録シートを、加圧、及び所定の定着温度で加熱しながら通過させて、トナー像を記録シートに定着させる画像形成装置における画像形成方法であって、前記定着温度と、定着後の記録シートの温度とを検出する検出ステップと、検出ステップにより検出された定着温度と、定着後の記録シートの温度との差分を計算する計算ステップと、計算ステップにより計算された差分に基づいて、前記記録シートの種類を特定する特定ステップと、特定ステップにより前記記録シートの種類が特定された後の画像の形成に関わる動作を、当該特定された記録シートの種類に適合した制御条件に従って制御する制御ステップとを含むことを特徴とする。
【発明の効果】
【００１０】
課題を解決するための手段に記載した構成により、定着温度と、定着後の記録シートの温度との差分に基づいて記録シートの種類を特定するので、従来と比較して、薄紙のように加熱ローラの温度変化が少ない場合の感度が極端に悪くならず、また、記録シートの温度を検出するだけはないので、加熱ローラの温度変動や周囲の温度の影響を受け難く、どちらの場合も従来よりも精度良く正確に記録シートの種類を判断することができる。
【００１１】
従って、印字品質の低下やトラブルを抑制することができる。
【００１２】
ここで、画像形成装置は、さらに、前記特定手段により前記記録シートの種類が特定されるより前から、未定着のトナー像が形成され定着されるであろうと予定される記録シートの種類を予め記憶する設定記憶手段と、前記特定手段により前記記録シートの種類が特定された後に、当該特定された記録シートの種類と、前記設定記憶手段に記憶されている記録シートの種類とが一致するか否かを判定し、一致しない場合には、前記設定記憶手段に記憶されている記録シートの種類を破棄し、当該設定記憶手段に、前記特定手段により特定された記録シートの種類を、次に未定着のトナー像が形成され定着されるであろうと予定される記録シートの種類として記憶させる更新手段とを備え、前記制御手段は、さらに、前記特定手段により前記記録シートの種類が特定されるより前の画像の形成に関わる動作を、前記設定記憶手段に記憶されている記録シートの種類に適合した制御条件に従って制御することを特徴とすることもできる。
【００１３】
これにより、いずれの種類の記録シートを用いるのかをユーザに予め設定させることができ、画像を形成する動作を開始するにあたり、設定されている種類に対して最適な制御を行なうことができ、また、設定されている種類と実測値により特定される種類とが一致しない場合には、特定後に設定を更新して実測値により特定された種類に対して最適な制御を行なうように切り替えるので、最適な制御が行なわれない期間を極力短くすることができる。
【００１４】
例えば連続して印刷する場合には、通常は同じ種類の記録シートが連続して使用されるので、記録シートの種類の設定が間違っていたとしても、２枚目以降は画像形成の最初から最適な制御が行える。
【００１５】
ここで、画像形成装置は、さらに、前記特定手段により特定された記録シートの種類と、前記設定記憶手段に記憶されている記録シートの種類とが一致せずに、前記更新手段により、前記設定記憶手段に記憶された記録シートの種類が更新された場合に、前記検出手段により検出された定着後の記録シートの温度が許容温度範囲内であるか否かを判定して、許容温度範囲内でない場合に定着不良とみなす不良判定手段を備えることを特徴とすることもできる。
【００１６】
これにより、記録シートの種類の設定が違っていた場合に、設定を更新するだけでなく、記録シートの温度が許容温度範囲内でないときには定着不良とみなすことができるので、記録シートの種類の設定が間違っていても、印字品質を低下させることなく、継続して正しい制御を行なうことができる。
【００１７】
ここで、画像形成装置は、前記制御手段において、前記特定手段により特定された記録シートの種類に適合した制御条件に従って制御される、前記特定手段により前記記録シートの種類が特定された後の画像の形成に関わる動作とは、次の記録シートに対する定着以前の画像形成動作、及び、処理中の記録シートに対する定着後の後処理の動作のうちの少なくとも一方であり、前記制御条件は、搬送速度、定着温調温度、及び、排出ファンの回転数のうちの少なくとも１つを含むことを特徴とすることもできる。
【００１８】
これにより、次の記録シートの搬送速度、定着温調温度、及び、処理中の記録シートの定着後の後処理である排出ファンの回転数等の制御条件を、記録シートの種類に応じてすぐに最適にすることができる。
【００１９】
ここで、画像形成装置において、前記検出手段は、さらに、環境温度を検出し、前記特定手段は、前記検出手段により検出された環境温度が、所定の範囲であるか否かを判断し、所定の範囲でない場合に、記録シートの種類を特定する際の基準を補正することを特徴とすることもできる。
【００２０】
これにより、例えば気温が１０℃以下のときのように、環境温度が低いときにおいて、種類を特定する際の基準が補正されるので、精度良く記録シートの種類を判断することができる。
【００２１】
ここで、画像形成装置において、前記制御手段は、さらに、環境温度に応じた定着温調温度を定めており、前記検出手段により環境温度を検出すると、その温度に適合した定着温調温度を読出し、これに基づいて、前記定着温度を制御することを特徴とすることもできる。
【００２２】
これにより、環境温度が低いときにおいて、定着温調温度が変更されるので、より安定した定着が施される。
【００２３】
ここで、画像形成装置において、前記制御条件は、環境温度に応じた定着温調温度を含み、前記制御手段は、前記特定手段により特定された記録シートの種類に適合した制御条件のうち、定着温調温度に関しては、前記検出手段により検出された環境温度に対応する定着温調温度を用いることを特徴とすることもできる。
【００２４】
これにより、環境温度が低いときにおいて、記録シートの種類別に定着温調温度が変更されるので、より安定した定着が実施される。
【００２５】
ここで、画像形成装置において、前記検出手段は、前記定着温度と、定着後の記録シートの温度とを検出する１つの非接触センサーを含み、検出領域を記録シートが通過するときに、定着後の記録シートの温度に相当する信号を出力し、検出領域に記録シートが存在しないときに、定着温度に相当する信号を出力することを特徴とすることもできる。
【００２６】
これにより、１つの非接触センサーで記録シートの温度と定着温度とを検出することができるので、センサーを２つ用いる場合に較べ、センサーの取り付けスペースが少なくて済み、また配線や入力ポートが減るのでコストダウンになる。
【００２７】
ここで、画像形成装置において、前記特定手段は、両面印刷の際には、１面目においてのみ記録シートの種類の特定をし、２面目においては、記録シートの種類の特定を行なうことなく動作させることを特徴とすることもできる。
【００２８】
これにより、両面印刷の際の２面目は、１面目に画像を形成する際に記録シートが暖められているため、１面目と同じ条件で記録シートの種類の特定をすると誤判定するという不具合が解消する。なお、２面目においては、１面目のときと条件を変えて記録シートの種類の特定を行なう必要はない。なぜなら２面目の記録シートの種類は１面目と同じであり、記録シートの種類は１面目において既に特定されているので、２面目においては１面目の特定結果を流用することができ、処理が簡略化される。
【００２９】
ここで、画像形成装置において、前記制御手段は、さらに、両面印刷の際の２面目において、定着後の記録シートの温度に応じて、定着後の後処理である記録シートの冷却を制御することを特徴とすることもできる。
【００３０】
これにより、両面印刷の際の２面目において、さらに、定着後の記録シートの実測した温度に応じて排出ファンの回転数等を制御して、冷却効果を調整することができるので、定着後の温度が高温になり易く温度のばらつきが大きい両面印刷の２面目印刷後の記録シートを適切に冷却することができ、記録シートのカール等の不具合を起こり難くすることができる。
【発明を実施するための最良の形態】
【００３１】
［実施の形態１］
＜概要＞
実施の形態１は、温度センサーを用いて、定着温度と、定着後の記録シートの表面温度とを測定し、これらの差分に基づいて、記録シートの種類を特定して、種類別に排出ファンの回転数を制御する画像形成装置である。
【００３２】
＜構成＞
図１は、実施の形態１における画像形成装置の全体構成を示す図である。
【００３３】
図１に示すように、実施の形態１における画像形成装置１は、原稿台に置かれた原稿を読み取って画像データを生成するスキャン機能、画像データに基づいて画像を印刷するプリント機能、原稿を読み取って印刷するコピー機能、原稿を読み取って画像データを送信するＦＡＸ機能、及び画像データや送信先電話番号等を記憶するメモリ蓄積機能等を備えるスキャナ、プリンタ、コピー機、ＦＡＸ等の複数の装置の機能を１台に集約したＭＦＰ（Multiple Function peripheral）であり、自動原稿搬送部（ADF: Automatic Document Feeder）１０、画像読取部２０、画像形成部３０、及び制御部１００により構成されている。
【００３４】
自動原稿搬送部１０は、ユーザによって原稿トレイに置かれた複数枚の原稿を順次自動的に読取位置へ搬送して画像読取部２０により読み取らせるものである。
【００３５】
画像読取部２０は、主にスキャン機能及びコピー機能における原稿の読み取りを担う部分であり、自動原稿搬送部１０によって自動的に搬送される原稿やユーザによって原稿台に置かれた原稿を読み取って画像データを生成する。ここで生成された画像データは、コピー機能実行時には画像形成部３０に渡されてプリントされ、ＦＡＸ機能実行時にはＦＡＸ送信され、メモリ蓄積機能実行時にはパソコンや記憶装置等の外部の装置に送られて記憶される。
【００３６】
画像形成部３０は、主にプリント機能及びコピー機能における画像の形成を担う部分であり、画像読取部２０や外部の装置から受け取った画像データや、ＦＡＸ受信した画像データに基づいて、記録シート上に画像を形成して出力するものであり、露光器３１、現像器３２ｋ、３２ｙ、３２ｍ、３２ｃ、転写チャージャ３３ｋ、３３ｙ、３３ｍ、３３ｃ、搬送ベルト３４、感光体３５ｋ、３５ｙ、３５ｍ、３５ｃ、定着器３６、給紙カセット３７Ａ〜Ｃ、排紙部３８、及び反射型フォトセンサ３９を備えている。なお画像形成部３０において、参照番号の後に“ｋ”が付いている構成要素を主体とする画像形成ユニットがブラックのトナーによる画像を生成し、以下同様に参照番号の後に“ｙ”が付いている構成要素を主体とする画像形成ユニットがイエローのトナーによる画像を生成し、参照番号の後に“ｍ”が付いている構成要素を主体とする画像形成ユニットがマゼンダのトナーによる画像を生成し、参照番号の後に“ｃ”が付いている構成要素を主体とする画像形成ユニットがシアンのトナーによる画像を生成する。
【００３７】
ここで画像形成装置１は、通常の画像形成の際に、制御部１００の制御により、露光器３１において感光体３５ｋ、３５ｙ、３５ｍ、３５ｃに静電潜像を形成し、形成した静電潜像を現像器３２ｋ、３２ｙ、３２ｍ、３２ｃにおいて現像することによりトナー像を生成し、給紙カセット３７Ａ〜Ｃの何れかから給紙された記録シートを搬送ベルト３４上に静電吸着した状態で、生成されたトナー像を転写チャージャ３３ｋ、３３ｙ、３３ｍ、３３ｃにより記録シート上に転写し、定着器３６において記録シート上のトナー像を定着した後、記録シートを排紙部３８に排出する。
【００３８】
制御部１００は、ＣＰＵやメモリ等から構成され、各センサーからの信号をモニタして、自動原稿搬送部１０、画像読取部２０、及び画像形成部３０等の装置全体の動作タイミングを制御して各機能を実現するものである。
【００３９】
図２は、定着器３６、及びその周辺の構成を模式的に示す図である。
【００４０】
図２に示すように、定着器３６は、加熱ローラ４１と定着ローラ４２とに亘って巻回した定着ベルト４３に対し、加圧ローラ４４を近接配置し、該定着ベルト４３と該加圧ローラ４４との接触部分に定着ニップを形成している。
【００４１】
前記加熱ローラ４１には、例えばハロゲンランプからなるヒータランプ４０が内挿されていて、該ヒータランプ４０の発熱によって該加熱ローラ４１が熱せられ、その熱が前記定着ベルト４３に伝導し、該定着ベルト４３が定着温度に加熱される。また図示例の定着器３６は、さらに、温度制御用センサ４５、及び記録シート用温度センサ４６を備える。
【００４２】
前記加熱ローラ４１は、円筒形の鋼鉄やアルミニウムのパイプの表面にフッ素樹脂等による離型層等が積層されて構成され、ヒータランプ４０から発せられる熱を定着ベルト４３に伝導し、また定着ローラ４２と共に定着ベルト４３に張力をかけた状態で、記録シートの通過速度に合わせて定着ベルト４３を回転駆動する。
【００４３】
前記定着ローラ４２は、円筒形の鋼鉄やアルミニウムのパイプの表面に、シリコーンゴム等の弾性層とフッ素樹脂等による離型層等が積層されて構成されている。
【００４４】
前記定着ベルト４３は、ポリイミド樹脂等からなる筒状の耐熱層の表面にフッ素樹脂等による離型層等が積層されて構成されている可撓性を有する無端帯である。
【００４５】
前記加圧ローラ４４は、円筒形の鋼鉄やアルミニウムのパイプの表面にフッ素樹脂等による離型層等が積層されて構成されている。
【００４６】
前記温度制御用センサ４５は、サーミスタ、熱電対、赤外線センサ等の非接触タイプの温度センサであり、加熱ローラ４１の表面温度を検出して、定着器３６の温度に対応する電圧を出力する。
【００４７】
温度制御用センサ４５としては、定着器３６の定着温度に対応する温度を測定できる場所であれば他の場所の温度を検出してもよいので、例えば、定着ローラ４２や定着ベルト４３の温度を検出してもよいし、定着時であれば定着直後の記録シート４８の表面温度を検出してもよい。また、定着器にはここで例示したタイプ以外のものがあるが、どのようなタイプであっても、温度制御用センサ４５は、定着温度に対応する温度を測定すれば足りる。
【００４８】
記録シート用温度センサ４６は、非接触タイプの温度センサであり、定着後の記録シートの表面温度を検出して対応する電圧を出力する。
【００４９】
なお、図２には、画像形成装置１の内部や周辺の外気温の環境温度を検出する環境温度センサ４７と、定着中の記録シート４８と、両面印刷の際に表（１面目）の印刷後に記録シートを裏（２面目）にして転写前の搬送位置に戻す両面ユニット４９と、定着後の記録シート４８を冷却する排出ファン５０とを記載している。
【００５０】
また、実施の形態１では、環境温度が０℃以上１０℃未満の低温度時と、１０℃以上３５℃以下の標準温度時とで、定着温度や記録シートの種類を判定する基準を変えるので、低温度時であるか、標準温度時であるか、あるいはどちらでもなく使用推奨温度範囲から外れるのかを判別できればよい。したがって環境温度センサ４７は、環境温度が０℃未満なのか、０℃以上１０℃未満なのか、１０℃以上３５℃以下なのか、３５度以上なのかを判別できる程度に環境温度を検出できればよい。
【００５１】
図３は、実施の形態１における画像形成装置１の機能構成を示す図である。
【００５２】
図３に示すように、画像形成装置１は、検出部５１、計算部５２、特定部５３、動作制御部５４を備える。
【００５３】
検出部５１は、図１の温度制御用センサ４５、記録シート用温度センサ４６、及び環境温度センサ４７に相当し、定着器３６の定着温度と定着後の記録シート４８の表面温度と環境温度とを検出して、それぞれの温度に対応する電圧を出力する。
【００５４】
計算部５２は、図１の制御部１００に含まれるＣＰＵにおいて実行されるプログラム等により実現される機能であり、検出部５１により検出された定着器３６の定着温度に対応する電圧と、定着後の記録シート４８の表面温度に対応する電圧との差分（以下「電圧差」と記す）を計算する。
【００５５】
特定部５３は、図１の制御部１００に含まれるＣＰＵにおいて実行されるプログラム等により実現される機能であり、計算部５２により計算された電圧差に基づいて、複数種類の記録シートのうちの１種類を特定する。
【００５６】
また、環境温度が標準室温の範囲にない場合には、定着前の記録シートの温度が標準値から大きく外れ、定着器３６と定着後の記録シート４８との温度差が変わってしまうので、記録シートの種類を特定する際の基準を補正する。
【００５７】
実施の形態１では、普通紙、厚紙、薄紙、ＯＨＰシートの４種類の記録シートのうちの１種類を、環境温度別の基準に従い、計算部５２により計算された電圧差に基づいて特定する。
【００５８】
図４は、環境温度が１０℃以上３５℃以下の標準温度時における、電圧差の値と温度差と記録シートの種類（判別紙種）との対応関係を示す図である。
【００５９】
また図５は、環境温度が０℃以上１０℃未満の低温度時における、電圧差の値と温度差と記録シートの種類（判別紙種）との対応関係を示す図である。
【００６０】
図４、図５に示すように環境温度が低いときには定着前の記録シートの温度も低いため記録シートが温まり難く、定着器３６と定着後の記録シート４８との温度差が大きくなる傾向があるので、低温度時（図５）には標準温度時（図４）よりも、温度差を大きめに（図では一律５℃）補正している。
【００６１】
動作制御部５４は、図１の制御部１００に含まれるＣＰＵにおいて実行されるプログラム等により実現される機能であり、検出部５１により検出される環境温度に対応する環境温度別の定着温調温度に従って、検出部５１により検出される定着器３６の定着温度をモニタしながら、ヒータランプ４０をＯＮ／ＯＦＦ制御することによって定着器３６における定着温度を制御し、また、特定部５３により特定された記録シートの種類に適合した制御条件に従って、当該特定後の画像の形成に関わる動作を制御する。実施の形態１では、動作制御部５４が、記録シートの種類別に、処理中の記録シートに対する定着後の後処理の動作の１つである排出ファン５０の回転数を制御する。
【００６２】
図６は、標準温度時における、定着温調温度と、これに相当する定着器３６の定着温度に対応する電圧（読取電圧）とを示す図である。
【００６３】
図７は、低温度時における、定着温調温度と、これに相当する定着器３６の定着温度に対応する電圧（読取電圧）とを示す図である。
【００６４】
図６、図７に示すように環境温度が低いときには定着前の記録シートの温度も低いため記録シートが温まり難いので、低温度時（図７）には標準温度時（図６）よりも、定着温調温度を高めに（図では５℃）補正している。
【００６５】
図８は、記録シートの種類別の排出ファン５０の制御条件（回転数）を示す図である。
【００６６】
図８に示すように、特定部５３により特定された記録シートの種類別に排出ファン５０の回転数を制御することにより、カール等のトラブルを抑制することができる。
【００６７】
＜動作＞
図９は、記録シートの種類を特定して種類別に排出ファンの回転数を制御する処理の手順を示す図である。
【００６８】
以下に図９を用いて、記録シートの種類を特定して種類別に排出ファンの回転数を制御する処理の手順を説明する。
【００６９】
（１）ユーザから直接、あるいはＰＣ（パーソナルコンピュータ）等を経由して、印刷開始の指示を受付ける（ステップＳ１）。
【００７０】
（２）検出部５１により検出される環境温度に対応する電圧を検出して記憶し、定着器３６の温調温度を更新する（ステップＳ２）。ここでは、環境温度が１０℃以上３５℃以下の標準温度時であれば、図４に示すように定着器３６の温調温度を１８０±２℃にし、０℃以上１０℃未満の低温度時であれば、図５に示すように定着器３６の温調温度を１８５±２℃にする。また、環境温度が３５℃を越える場合や、０℃に満たない場合にはエラーを表示して環境温度が０℃以上３５℃以下になるまで待機する。
【００７１】
（３）検出部５１により定着器３６の定着温度に対応する電圧を検出する（ステップＳ３）。
【００７２】
（４）定着器３６の定着温度に対応する電圧が規定範囲内か否かを判定し、規定範囲内でない場合には、規定範囲内になるまで待つ（ステップＳ４）。ここで規定範囲は、標準温度時であれば１８０±２℃、低温度時であれば１８５±２℃である。
【００７３】
（５）定着器３６の定着温度に対応する電圧が規定範囲内であれば（ステップＳ４：ＹＥＳ）、検出部５１により検出される定着器３６の定着温度に対応する電圧を記憶する（ステップＳ５）。
【００７４】
（６）続いて通紙を開始する（ステップＳ６）。
【００７５】
（７）検出部５１により検出される定着後の記録シート４８の表面温度に対応する電圧を記憶し、計算部５２が電圧差を計算する（ステップＳ７）。
【００７６】
（８）記憶した環境温度に対応する電圧は所定の範囲内であるか否かを判定する（ステップＳ８）。ここでは、１０℃以上である場合に所定の範囲内であると判定し、１０℃未満である場合に所定の範囲内でないと判定する。
【００７７】
（９）所定の範囲内であれば（ステップＳ８：ＹＥＳ）、計算部５２により計算された電圧差が１.３Ｖ未満であるか否かを判定する（ステップＳ９）。
【００７８】
（１０）１.３Ｖ未満であれば（ステップＳ９：ＹＥＳ）、該当する記録シートの種類がないので、エラー処理を行なう（ステップＳ１０）。
【００７９】
（１１）１.３Ｖ未満でなければ（ステップＳ９：ＮＯ）、次は、計算部５２により計算された電圧差が１.４Ｖ未満であるか否かを判定する（ステップＳ１１）。
【００８０】
（１２）１.４Ｖ未満であれば（ステップＳ１１：ＹＥＳ）、厚紙であると特定し、図８に示すように排出ファンの回転数を４００ｒｐｍ（回転／分）に設定する（ステップＳ１２）。
【００８１】
（１３）１.４Ｖ未満でなければ（ステップＳ１１：ＮＯ）、次は、計算部５２により計算された電圧差が１.５Ｖ未満であるか否かを判定する（ステップＳ１３）。
【００８２】
（１４）１.５Ｖ未満であれば（ステップＳ１３：ＹＥＳ）、薄紙であると特定し、図８に示すように排出ファンの回転数を２５０ｒｐｍに設定する（ステップＳ１４）。
【００８３】
（１５）１.５Ｖ未満でなければ（ステップＳ１３：ＮＯ）、次は、計算部５２により計算された電圧差が１.６Ｖ未満であるか否かを判定する（ステップＳ１５）。
【００８４】
（１６）１.６Ｖ未満であれば（ステップＳ１５：ＹＥＳ）、普通紙であると特定し、図８に示すように排出ファンの回転数を３００ｒｐｍに設定する（ステップＳ１６）。
【００８５】
（１７）１.６Ｖ未満でなければ（ステップＳ１５：ＮＯ）、ＯＨＰシートであると特定し、図８に示すように排出ファンの回転数を５００ｒｐｍに設定する（ステップＳ１７）。
【００８６】
（１８）所定の範囲内でなければ（ステップＳ８：ＮＯ）、計算部５２により計算された電圧差が１.３５Ｖ未満であるか否かを判定する（ステップＳ１８）。
【００８７】
（１９）１.３５Ｖ未満であれば（ステップＳ１８：ＹＥＳ）、該当する記録シートの種類がないので、エラー処理を行なう（ステップＳ１９）。
【００８８】
（２０）１.３５Ｖ未満でなければ（ステップＳ１８：ＮＯ）、次は、計算部５２により計算された電圧差が１.４５Ｖ未満であるか否かを判定する（ステップＳ２０）。
【００８９】
（２１）１.４５Ｖ未満であれば（ステップＳ２０：ＹＥＳ）、厚紙であると特定し、図８に示すように排出ファンの回転数を４００ｒｐｍに設定する（ステップＳ２１）。
【００９０】
（２２）１.４５Ｖ未満でなければ（ステップＳ２０：ＮＯ）、次は、計算部５２により計算された電圧差が１.５５Ｖ未満であるか否かを判定する（ステップＳ２２）。
【００９１】
（２３）１.５５Ｖ未満であれば（ステップＳ２２：ＹＥＳ）、薄紙であると特定し、図８に示すように排出ファンの回転数を２５０ｒｐｍに設定する（ステップＳ２３）。
【００９２】
（２４）１.５５Ｖ未満でなければ（ステップＳ２２：ＮＯ）、次は、計算部５２により計算された電圧差が１.６５Ｖ未満であるか否かを判定する（ステップＳ２４）。
【００９３】
（２５）１.６５Ｖ未満であれば（ステップＳ２４：ＹＥＳ）、普通紙であると特定し、図８に示すように排出ファンの回転数を３００ｒｐｍに設定する（ステップＳ２５）。
【００９４】
（２６）１.６５Ｖ未満でなければ（ステップＳ２４：ＮＯ）、ＯＨＰシートであると特定し、図８に示すように排出ファンの回転数を５００ｒｐｍに設定する（ステップＳ２６）。
【００９５】
＜まとめ＞
以上のように、実施の形態１の画像形成装置によれば、定着器の定着温度に対応する電圧と、定着後の記録シートの表面温度に対応する電圧との差分に基づいて記録シートの種類を特定するので、従来よりも精度良く記録シートの種類を判断することができ、また、排出ファンの回転数等の定着後の後処理の制御条件を、記録シートの種類に応じて最適にすることができる。
【００９６】
また、環境温度が低いときにおいては、種類を特定する際の基準を補正するので、精度良く記録シートの種類を判断することができ、また、定着器の定着温度も変更するので、より安定した定着を施すことができる。
［実施の形態２］
＜概要＞
実施の形態２は、予め記録シートの種類を設定しておき、設定された種類別の搬送速度及び定着温度で画像の形成を開始し、実施の形態１と同様の方法で記録シートの種類を特定し、設定されている種類と一致しない場合に設定を書き換え、更新された種類別の搬送速度、定着温度、及び排出ファンの回転数で画像の形成を継続する画像形成装置である。
【００９７】
＜構成＞
実施の形態２における画像形成装置２の全体構成、及び定着器周辺の構成は、実施の形態１における画像形成装置１と同様であるので、その説明を省略する。
【００９８】
図１０は、実施の形態２における画像形成装置２の機能構成を示す図である。
【００９９】
図１０に示すように、画像形成装置２は、検出部５１、計算部５２、特定部５３、設定記憶部６１、更新部６２、不良判定部６３、及び動作制御部６４を備える。
【０１００】
ここで、実施の形態１と同様の機能を有する構成要素には同一番号を付し、その説明を省略する。
【０１０１】
設定記憶部６１は、図１の制御部１００に含まれるＣＰＵにおいて実行されるプログラム及び制御部１００に含まれる不揮発性メモリ等により実現される機能であり、画像を形成を開始する前に、予めユーザや保守担当者等から、画像が形成されるであろうと予定される記録シートの種類の設定を受付けて記憶しておく。
【０１０２】
更新部６２は、図１の制御部１００に含まれるＣＰＵにおいて実行されるプログラム等により実現される機能であり、特定部５３により特定された種類と、設定記憶部６１に記憶されている種類とが一致するか否かを判定し、一致しない場合には、設定記憶部６１に記憶された種類を破棄し、設定記憶部６１に、特定部５３により特定された記録シートの種類を、次に画像が形成され定着されるであろうと予定される記録シートの種類として記憶させる。
【０１０３】
不良判定部６３は、更新部６２により記録シートの種類が更新された場合に、記録シートの種類別に、検出部５１により検出された定着後の記録シートの温度が許容温度範囲内であるか否かを判定して、許容温度範囲内であれば動作の継続を許可し、許容温度範囲内でなければ定着不良とみなしてその旨を動作制御部６４へ知らせる。
【０１０４】
動作制御部６４は、図１の制御部１００に含まれるＣＰＵにおいて実行されるプログラム等により実現される機能であり、設定記憶部６１に設定されている種類の記録シートに画像を形成する際の、当該種類に適合した制御条件に従って画像を形成する動作を開始し、実施の形態１の動作制御部５４と同様に、検出部５１により検出される環境温度に対応する環境温度別の定着温調温度に従って、検出部５１により検出される定着器３６の定着温度をモニタしながら、ヒータランプ４０をＯＮ／ＯＦＦ制御することによって定着器３６における定着温度を制御し、また、更新部６２により記録シートの種類が更新され不良判定部６３により動作を継続すると判定された場合には、特定部５３により特定された記録シートの種類に適合した制御条件に従って、当該特定後の画像の形成に関わる動作を制御し、継続しないと判定された場合には、後の動作を停止させてエラーを表示させるか、或いは定着不良とみなした画像の生成を当該制御条件に従ってやり直させる。実施の形態２では、動作制御部６４が、記録シートの種類別に、処理中の記録シートに対する定着後の後処理の動作の１つである排出ファン５０の回転数、及び次の記録シートに対する定着以前からの画像の形成に関わる定着温度や搬送速度等を制御する。
【０１０５】
図１１は、記録シートの種類別の、標準温度時における定着温調温度と、これに相当する定着器３６の定着温度に対応する電圧（読取電圧）とを示す図である。
【０１０６】
図１２は、記録シートの種類別の、低温度時における定着温調温度と、これに相当する定着器３６の定着温度に対応する電圧（読取電圧）とを示す図である。
【０１０７】
図１１、図１２に示すように環境温度が低いときには定着前の記録シートの温度も低いため記録シートが温まり難いので、低温度時（図１２）には標準温度時（図１１）よりも、定着温調温度を高めに（図では５℃）補正している。
【０１０８】
図１３は、記録シートの種類別の、標準温度時及び低温度時において共通の、記録シートの搬送速度を示す図である。
【０１０９】
図１４は、記録シートの種類別の、許容温度と、これに相当する定着器３６の定着温度に対応する電圧（読取電圧）とを示す図である。
【０１１０】
このように、特定部５３により特定され、更新部６２により更新された記録シートの種類別に、定着温度、搬送速度、及び排出ファン５０の回転数を制御することにより、印字品質を向上させ、カール等のトラブルを抑制することができる。
【０１１１】
＜動作＞
図１５、図１６は、記録シートの種類を特定して種類別に、搬送速度、定着温度、及び排出ファンの回転数を制御する処理の手順を示す図である。
【０１１２】
以下に図１５、図１６を用いて、記録シートの種類を特定して種類別に、搬送速度、定着温度、及び排出ファンの回転数を制御する処理の手順を説明する。
【０１１３】
なお、実施の形態１の図９と同様の処理を行なうステップには同一番号を付し、その説明を省略する。
【０１１４】
（１）実施の形態１の図９の説明の（１）と同様である（ステップＳ１）。
【０１１５】
（２）検出部５１により検出される環境温度に対応する電圧を検出して記憶し、設定された記録シートの種類別に、搬送速度と定着器３６の温調温度とを更新する（ステップＳ３０）。ここでは、設定された記録シートの種類が厚紙のときには、図１３に示すように搬送速度を２２枚／分にし、さらに、環境温度が１０℃以上３５℃以下の標準温度時であれば、図１１に示すように定着器３６の温調温度を１９０±２℃にし、環境温度が０℃以上１０℃未満の低温度時であれば、図１２に示すように定着器３６の温調温度を１９５±２℃にする。
【０１１６】
またここでは、設定された記録シートの種類が薄紙のときには、図１３に示すように搬送速度を３０枚／分にし、さらに、標準温度時であれば、図１１に示すように定着器３６の温調温度を１８０±２℃にし、低温度時であれば、図１２に示すように定着器３６の温調温度を１８５±２℃にする。
【０１１７】
またここでは、設定された記録シートの種類が普通紙のときには、図１３に示すように搬送速度を３２枚／分にし、さらに、標準温度時であれば、図１１に示すように定着器３６の温調温度を１７５±２℃にし、低温度時であれば、図１２に示すように定着器３６の温調温度を１８０±２℃にする。
【０１１８】
またここでは、設定された記録シートの種類がOHPシートのときには、図１３に示すように搬送速度を２５枚／分にし、さらに、標準温度時であれば、図１１に示すように定着器３６の温調温度を１６５±２℃にし、低温度時であれば、図１２に示すように定着器３６の温調温度を１７０±２℃にする。
【０１１９】
また、環境温度が３５℃を越える場合や、０℃に満たない場合にはエラーを表示して環境温度が０℃以上３５℃以下になるまで待機する。
【０１２０】
（３）〜（２６）実施の形態１の図９の説明の（３）〜（２６）と同様である（ステップＳ３〜Ｓ２６）。
【０１２１】
以下は図１６を参照。
【０１２２】
（２７）厚紙であるであると特定された場合は（図１５、図１６中のＡ：ステップＳ１２、ステップＳ２１の後）、設定された記録シートの種類が厚紙であるか否かを判断し、厚紙である場合は、そのまま処理を終了する（ステップＳ３１）。
【０１２３】
（２８）厚紙であると特定され、設定された記録シートの種類が厚紙でなかった場合には（ステップＳ３１：ＮＯ）、設定を厚紙に書き換える（ステップＳ３２）。
【０１２４】
（２９）図１４に示すように、記憶した定着後の記録シート４８の表面温度が７０℃以上７４℃以下の許容範囲内であるか否かを判断し、許容範囲内である場合は、そのまま処理を終了する（ステップＳ３３）。
【０１２５】
（３０）薄紙であると特定された場合は（図１５、図１６中のＢ：ステップＳ１４、ステップＳ２３の後）、設定された記録シートの種類が薄紙であるか否かを判断し、薄紙である場合は、そのまま処理を終了する（ステップＳ３４）。
【０１２６】
（３１）薄紙であると特定され、設定された記録シートの種類が薄紙でなかった場合には（ステップＳ３４：ＮＯ）、設定を薄紙に書き換える（ステップＳ３５）。
【０１２７】
（３２）図１４に示すように、記憶した定着後の記録シート４８の表面温度が６８℃以上７２℃以下の許容範囲内であるか否かを判断し、許容範囲内である場合は、そのまま処理を終了する（ステップＳ３６）。
【０１２８】
（３３）普通紙であると特定された場合は（図１５、図１６中のＣ：ステップＳ１６、ステップＳ２５の後）、設定された記録シートの種類が普通紙であるか否かを判断し、普通紙である場合は、そのまま処理を終了する（ステップＳ３７）。
【０１２９】
（３４）普通紙であると特定され、設定された記録シートの種類が普通紙でなかった場合には（ステップＳ３７：ＮＯ）、設定を普通紙に書き換える（ステップＳ３８）。
【０１３０】
（３５）図１４に示すように、記憶した定着後の記録シート４８の表面温度が６４℃以上６８℃以下の許容範囲内であるか否かを判断し、許容範囲内である場合は、そのまま処理を終了する（ステップＳ３９）。
【０１３１】
（３６）ＯＨＰシートであると特定された場合は（図１５、図１６中のＤ：ステップＳ１７、ステップＳ２６の後）、設定された記録シートの種類がＯＨＰシートであるか否かを判断し、ＯＨＰシートである場合は、そのまま処理を終了する（ステップＳ４０）。
【０１３２】
（３７）ＯＨＰシートであると特定され、設定された記録シートの種類がＯＨＰシートでなかった場合には（ステップＳ４０：ＮＯ）、設定をＯＨＰシートに書き換える（ステップＳ４１）。
【０１３３】
（３８）図１４に示すように、記憶した定着後の記録シート４８の表面温度が６０℃以上６４℃以下の許容範囲内であるか否かを判断し、許容範囲内である場合は、そのまま処理を終了する（ステップＳ４２）。
【０１３４】
（３９）定着後の記録シート４８の表面温度が記録シートの種類毎の許容範囲内でなかった場合には（ステップＳ３３、Ｓ３６、Ｓ３９、Ｓ４２：ＮＯ）、エラー処理を行なう（ステップＳ４３）。
【０１３５】
＜まとめ＞
以上のように、実施の形態２の画像形成装置によれば、実施の形態１の画像形成装置と同様に、定着器の定着温度に対応する電圧と、定着後の記録シートの表面温度に対応する電圧との差分に基づいて記録シートの種類を特定するので、従来よりも精度良く記録シートの種類を判断することができ、また、排出ファンの回転数等の定着後の後処理の制御条件を、記録シートの種類に応じて最適にすることができる。さらに、記録シートの搬送速度、定着温度等の制御条件を、記録シートの種類に応じてすぐに最適にすることができる。
【０１３６】
また、環境温度が低いときにおいては、実施の形態１の画像形成装置と同様に、種類を特定する際の基準を補正するので、精度良く記録シートの種類を判断することができ、また、定着器の定着温度も変更するので、より安定した定着を施すことができる。
［実施の形態３］
＜概要＞
実施の形態３は、両面印刷を考慮して、裏（２面目）の画像を形成する際に、表（１面目）と異なる制御を行なう画像形成装置である。詳細には、片面印刷の場合や両面印刷の１面目の制御は実施の形態１と同様の制御を行い、両面印刷の２面目においては記録シートの種類の特定をせず、また、２面目において、定着後の記録シートの表面温度に応じて排出ファンの回転数を制御して、冷却効果を調整する。
【０１３７】
＜構成＞
実施の形態３における画像形成装置の全体構成、及び定着器周辺の構成は、実施の形態１と同様であるので、その説明を省略する。
【０１３８】
図１７は、実施の形態３における画像形成装置３の機能構成を示す図である。
【０１３９】
図１７に示すように、画像形成装置３は、検出部５１、計算部５２、特定部７１、動作制御部７２を備える。
【０１４０】
ここで、実施の形態１と同様の機能を有する構成要素には同一番号を付し、その説明を省略する。
【０１４１】
特定部７１は、図１の制御部１００に含まれるＣＰＵにおいて実行されるプログラム等により実現される機能であり、片面印刷の場合や、両面印刷における１面目の場合は、実施の形態１の特定部５３と同様に、計算部５２により計算された差分に基づいて、複数種類の記録シートのうちの１種類を特定するが、両面印刷の２面目においては記録シートの種類の特定をせずに、１面目の特定結果を流用する。
【０１４２】
動作制御部７２は、図１の制御部１００に含まれるＣＰＵにおいて実行されるプログラム等により実現される機能であり、実施の形態１の動作制御部５４と同様に、検出部５１により検出される環境温度に対応する環境温度別の定着温調温度に従って、検出部５１により検出される定着器３６の定着温度をモニタしながら、ヒータランプ４０をＯＮ／ＯＦＦ制御することによって定着器３６における定着温度を制御し、また、特定部７１により特定された記録シートの種類に適合した制御条件に従って、当該特定後の画像の形成に関わる動作を制御する。実施の形態３では、動作制御部７２が、片面印刷の場合には、実施の形態１と同様に、記録シートの種類別に、排出ファン５０の回転数を制御し、両面印刷の場合は、定着後の記録シートの表面温度に応じて排出ファンの回転数を制御する。
【０１４３】
図１８は、両面印刷の２面目における定着後の記録シートの表面温度別の排出ファン５０の制御条件（回転数）を示す図である。
【０１４４】
片面印刷の場合は、図８に示すように、特定部７１により特定された記録シートの種類別に排出ファン５０の回転数を制御し、両面印刷の場合は、図１８に示すように、定着後の記録シートの２面目における記録シートの表面温度別に排出ファン５０の回転数を制御することにより、カール等のトラブルを抑制することができる。
【０１４５】
＜動作＞
図１９、図２０は、両面印刷の場合に、記録シートの種類を特定して、定着後の記録シートの表面温度に応じて排出ファンの回転数を制御する処理の手順を示す図である。なお、片面印刷の場合には、実施の形態１の図９と同様の処理を行ない、種類別に冷却ファンの回転数を制御する。
【０１４６】
以下に図１９、図２０を用いて、両面印刷の場合に、記録シートの種類を特定して、定着後の記録シートの表面温度に応じて排出ファンの回転数を制御する処理の手順を説明する。
【０１４７】
なお、実施の形態１の図９と同様の処理を行なうステップには同一番号を付し、その説明を省略する。
【０１４８】
（１）ユーザから直接、あるいはＰＣ等を経由して、両面印刷開始の指示を受付ける（ステップＳ５０）。
【０１４９】
（２）〜（１１）実施の形態１の図９の説明の（２）〜（１１）と同様である（ステップＳ２〜Ｓ１０）。
【０１５０】
（１２）１.４Ｖ未満であれば（ステップＳ１１：ＹＥＳ）、厚紙であると特定する（ステップＳ５１）。
【０１５１】
（１３）実施の形態１の図９の説明の（１３）と同様である（ステップＳ１３）。
【０１５２】
（１４）１.５Ｖ未満であれば（ステップＳ１３：ＹＥＳ）、薄紙であると特定する（ステップＳ５２）。
【０１５３】
（１５）実施の形態１の図９の説明の（１５）と同様である（ステップＳ１５）。
【０１５４】
（１６）１.６Ｖ未満であれば（ステップＳ１５：ＹＥＳ）、普通紙であると特定する（ステップＳ５３）。
【０１５５】
（１７）１.６Ｖ未満でなければ（ステップＳ１５：ＮＯ）、ＯＨＰシートであると特定する（ステップＳ５４）。
【０１５６】
（１８）〜（２０）実施の形態１の図９の説明の（１８）〜（２０）と同様である（ステップＳ１８〜Ｓ２０）。
【０１５７】
（２１）１.４５Ｖ未満であれば（ステップＳ２０：ＹＥＳ）、厚紙であると特定する（ステップＳ５５）。
【０１５８】
（２２）実施の形態１の図９の説明の（２２）と同様である（ステップＳ２２）。
【０１５９】
（２３）１.５５Ｖ未満であれば（ステップＳ２２：ＹＥＳ）、薄紙であると特定する（ステップＳ５６）。
【０１６０】
（２４）実施の形態１の図９の説明の（２４）と同様である（ステップＳ２４）。
【０１６１】
（２５）１.６５Ｖ未満であれば（ステップＳ２４：ＹＥＳ）、普通紙であると特定する（ステップＳ５７）。
【０１６２】
（２６）１.６５Ｖ未満でなければ（ステップＳ２４：ＮＯ）、ＯＨＰシートであると特定する（ステップＳ５８）。
【０１６３】
以下は図２０を参照。
【０１６４】
（２７）１面目の処理が終了すると（図１９、図２０中のＥ：ステップＳ５１〜Ｓ５８の後）、両面ユニット４９により記録シートが裏返され、引き続き２面目の通紙を開始する（ステップＳ５９）。
【０１６５】
（２８）検出部５１により検出される定着後の記録シート４８の表面温度に対応する電圧を記憶する（ステップＳ６０）。
【０１６６】
（２９）記憶された記録シート４８の表面温度に対応する電圧が１．５Ｖ以上であるか否かを判定する（ステップＳ６１）。
【０１６７】
（３０）１.５Ｖ以上であれば（ステップＳ６１：ＹＥＳ）、図１８に示すように排出ファンの回転数を５００ｒｐｍに設定する（ステップＳ６２）。
【０１６８】
（３１）１.５Ｖ以上でなければ（ステップＳ６１：ＮＯ）、次は、記憶された記録シート４８の表面温度に対応する電圧が１．１６Ｖ以上であるか否かを判定する（ステップＳ６３）。
【０１６９】
（３２）１.１６Ｖ以上であれば（ステップＳ６３：ＹＥＳ）、図１８に示すように排出ファンの回転数を２５０ｒｐｍに設定する（ステップＳ６４）。
【０１７０】
（３３）１.１６Ｖ以上でなければ（ステップＳ６３：ＮＯ）、図１８に示すように排出ファンの回転数を０に設定する（ステップＳ６５）。
【０１７１】
＜まとめ＞
以上のように、実施の形態３の画像形成装置によれば、実施の形態１の画像形成装置と同様に、定着器の定着温度と、定着後の記録シートの表面温度との差分に基づいて記録シートの種類を特定するので、従来よりも精度良く記録シートの種類を判断することができ、また、片面印刷の場合には排出ファンの回転数等の定着後の後処理の制御条件を、記録シートの種類に応じて最適にすることができる。さらに、両面印刷の場合には、排出ファンの回転数等の定着後の後処理の制御条件を、実測した定着後の記録シートの表面温度に応じて最適にすることができる。
【０１７２】
また、環境温度が低いときにおいては、実施の形態１の画像形成装置と同様に、種類を特定する際の基準を補正するので、精度良く記録シートの種類を判断することができ、また、定着器の定着温度も変更するので、より安定した定着を施すことができる。
［変形例１］
本変形例１は、温度制御用センサと記録シート用温度センサを１つのセンサで兼用する画像形成装置であり、詳細には、図３に示した実施の形態１の定着器３６が温度制御用センサ４５と記録シート用温度センサ４６とを備えるのに対し、実施の形態１の定着器８１は、これらの２個の温度センサの代わりに、兼用温度センサ６０を１個備える。
【０１７３】
図２１は、定着器８１、及びその周辺の構成を模式的に示す図である。
【０１７４】
図２１に示すように、定着器８１は、ヒータランプ４０、加熱ローラ４１、定着ローラ４２、定着ベルト４３、加圧ローラ４４、及び兼用温度センサ６０を備える。
【０１７５】
兼用温度センサ６０は、記録シートが通過していないときは定着ベルト４３の表面温度を測定でき、記録シートが通過しているときは記録シートの表面温度を測定できる図２１に示すような位置に設置された非接触タイプで測定距離が長めの、サーモパイル等の温度センサであり、定着中でなく記録シートが無い間は、定着ベルト４３の表面温度を検出して、定着器８１の定着温度に対応する電圧を出力し、定着中などで記録シートが通過している間は、定着後の記録シートの表面温度を検出して対応する電圧を出力する。
【０１７６】
また図２１には、環境温度センサ４７と、定着中の記録シート４８と、両面ユニット４９と、排出ファン５０とを記載している。
【０１７７】
本変形例１によれば、２つの温度センサを１つで兼用するので、定着器の定着温度と、定着後の記録シートの表面温度との差分を計算する際には、定着前に定着器の定着温度を検出して記憶しておかなければならない等の制約はあるが、センサが１個減るので、その分配線数が減り、スペースが空き、部品コストや製造コストを抑えることができるという利点がある。
【０１７８】
なお、変形例１は上記各実施の形態に対しても適応できる。
【０１７９】
また、上記各実施の形態を複数組み合わせることもできる。
【０１８０】
また、上記各実施の形態及び変形例においては、定着器が定着ベルトと加圧ローラとを近接配置した構成であるが、本発明はこのような構成に限定されるものではない。例えば、周知の定着ローラと加圧ローラとを近接配置した構成であっても本発明は同様に適用することができ、要するに、未定着のトナー像が形成された面に接触して定着に直接寄与する定着側と、トナー像が形成されていない面に接触して裏側から加圧に寄与する加圧側とが、両者とも回転体であって、これらが、両者間に定着ニップを形成する状態で近接配置されていれば足りる。
【０１８１】
また、コンピュータに実施の形態１、２、及び３のような動作を実行させることができるプログラムがコンピュータ読み取り可能な記録媒体に記録され、この記録媒体が流通し取り引きの対象となり得る。また、当該プログラムは、例えばネットワーク等を介して流通して取り引きの対象となり得、また、表示装置に表示されたり印刷されて、利用者に提示されることもあり得る。
【０１８２】
ここでコンピュータ読み取り可能な記録媒体とは、例えば、フロッピー(登録商標)ディスク、ＣＤ、ＭＯ、ＤＶＤ、メモリカード等の着脱可能な記録媒体、及び、ハードディスク、半導体メモリ等の固定記録媒体等であり、特に限定されるものではない。
【産業上の利用可能性】
【０１８３】
本発明は、記録シートに対して加熱を伴い定着を行なうあらゆる装置に適用することができるので、ＭＦＰ、プリンタ、コピー機、ＦＡＸ等の画像形成を行なう全ての装置に広く適用することができる。
【０１８４】
本発明によって、従来よりも精度良く記録シートの種類を判断することができ、記録シートの種類毎に最適な制御を行なうことができるので、印字品質が高くトラブルの少ない画像形成装置を提供することができその産業的利用価値は極めて高い。
【０１８５】
また、本発明によれば、記録シートの定着に限らずに、シート状等の加工対象に対して加熱を伴うなんらかの処置を行なう場合において、加工対象の種類を判断することができ、また判断された加工対象の種類を制御以外の目的に利用することもできる。例えば加工後の分別に利用することもできる。
【図面の簡単な説明】
【０１８６】
【図１】実施の形態１における画像形成装置の全体構成を示す図である。
【図２】定着器３６、及びその周辺の構成を模式的に示す図である。
【図３】実施の形態１における画像形成装置１の機能構成を示す図である。
【図４】環境温度が１０℃以上３５℃以下の標準温度時における、電圧差の値と温度差と記録シートの種類（判別紙種）との対応関係を示す図である。
【図５】環境温度が０℃以上１０℃未満の低温度時における、電圧差の値と温度差と記録シートの種類（判別紙種）との対応関係を示す図である。
【図６】標準温度時における、定着温調温度と、これに相当する定着器３６の定着温度に対応する電圧（読取電圧）とを示す図である。
【図７】低温度時における、定着温調温度と、これに相当する定着器３６の定着温度に対応する電圧（読取電圧）とを示す図である。
【図８】記録シートの種類別の排出ファン５０の制御条件（回転数）を示す図である。
【図９】記録シートの種類を特定して種類別に排出ファンの回転数を制御する処理の手順を示す図である。
【図１０】実施の形態２における画像形成装置２の機能構成を示す図である。
【図１１】記録シートの種類別の、標準温度時における定着温調温度と、これに相当する定着器３６の定着温度に対応する電圧（読取電圧）とを示す図である。
【図１２】記録シートの種類別の、低温度時における定着温調温度と、これに相当する定着器３６の定着温度に対応する電圧（読取電圧）とを示す図である。
【図１３】記録シートの種類別の、標準温度時及び低温度時において共通の、記録シートの搬送速度を示す図である。
【図１４】記録シートの種類別の、許容温度と、これに相当する定着器３６の定着温度に対応する電圧（読取電圧）とを示す図である。
【図１５】記録シートの種類を特定して種類別に、搬送速度、定着温度、及び排出ファンの回転数を制御する処理の手順を示す図の前半部分である。
【図１６】記録シートの種類を特定して種類別に、搬送速度、定着温度、及び排出ファンの回転数を制御する処理の手順を示す図の後半部分である。
【図１７】実施の形態３における画像形成装置３の機能構成を示す図である。
【図１８】両面印刷の２面目における定着後の記録シートの表面温度別の排出ファン５０の制御条件（回転数）を示す図である。
【図１９】両面印刷の場合に、記録シートの種類を特定して、定着後の記録シートの表面温度に応じて排出ファンの回転数を制御する処理の手順の前半部分を示す図である。
【図２０】両面印刷の場合に、記録シートの種類を特定して、定着後の記録シートの表面温度に応じて排出ファンの回転数を制御する処理の手順の後半部分を示す図である。
【図２１】定着器８１、及びその周辺の構成を模式的に示す図である。
【符号の説明】
【０１８７】
１、２、３    画像形成装置
１０    自動原稿搬送部
２０    画像読取部
３０    画像形成部
３１    露光器
３２ｋ、３２ｙ、３２ｍ、３２ｃ    現像器
３３ｋ、３３ｙ、３３ｍ、３３ｃ  転写チャージャ
３４    搬送ベルト
３５ｋ、３５ｙ、３５ｍ、３５ｃ  感光体
３６    定着器
３７Ａ〜Ｃ    給紙カセット
３８    排紙部
３９    反射型フォトセンサ
４０    ヒータランプ
４１    加熱ローラ
４２    定着ローラ
４３    定着ベルト
４４    加圧ローラ
４５    温度制御用センサ
４６    記録シート用温度センサ
４７    環境温度センサ
４８    記録シート
４９    両面ユニット
５０    排出ファン
５１    検出部
５２    計算部
５３    特定部
５４    動作制御部
６０    兼用温度センサ
６１    設定記憶部
６２    更新部
６３    不良判定部
６４    動作制御部
７１    特定部
７２    動作制御部
１００    制御部
【図１】
2009192836.tif 000003
【図２】
2009192836.tif 000004
【図３】
2009192836.tif 000005
【図４】
2009192836.tif 000006
【図５】
2009192836.tif 000007
【図６】
2009192836.tif 000008
【図７】
2009192836.tif 000009
【図８】
2009192836.tif 000010
【図９】
2009192836.tif 000011
【図１０】
2009192836.tif 000012
【図１１】
2009192836.tif 000013
【図１２】
2009192836.tif 000014
【図１３】
2009192836.tif 000015
【図１４】
2009192836.tif 000016
【図１５】
2009192836.tif 000017
【図１６】
2009192836.tif 000018
【図１７】
2009192836.tif 000019
【図１８】
2009192836.tif 000020
【図１９】
2009192836.tif 000021
【図２０】
2009192836.tif 000022
【図２１】
2009192836.tif 000023